(57)【特許請求の範囲】
【請求項１】
（ａ）画像データを印刷する印刷装置に送信する印刷データを生成する印刷データ生成装置であって、
（ｂ）複数の前記印刷装置の印刷保証領域情報を格納する情報格納部と、該情報格納部に格納された前記印刷保証領域情報に基づいて前記画像データの編集を行う編集部と、前記印刷装置を識別する装置識別情報を選択し、選択した装置識別情報を付加した電子メールの表題を作成するための操作部と、前記画像データを添付した電子メールを作成する電子メール作成部と、該電子メール作成部が作成した電子メールを前記印刷装置に送信する電子メール送信制御部とを有し、
（ｃ）前記編集部は、前記選択した装置識別情報に対応する印刷装置の印刷保証領域情報に基づいて、印刷可能な領域内に前記画像データを収めるための拡大又は縮小を含む編集を行い、前記電子メール作成部は、前記編集部が編集を行った画像データを添付した電子メールを作成し、前記電子メール送信制御部は、前記電子メール作成部が作成した電子メールを前記選択した装置識別情報に対応する印刷装置に送信することを特徴とする印刷データ生成装置。
【請求項２】
前記操作部は、前記情報格納部に格納される前記印刷保証領域情報を入力する請求項１に記載の印刷データ生成装置。
【請求項３】
前記情報格納部に格納される前記印刷保証領域情報を前記印刷装置から取得する請求項１に記載の印刷データ生成装置。
【請求項４】
前記編集部が編集を行ったことを意味する編集済み情報を編集済み画像データに付加する編集済み情報付加部を有する請求項１に記載の印刷データ生成装置。
【請求項５】
（ａ）画像データを印刷する印刷装置に送信する印刷データを生成する印刷データ生成装置であって、前記印刷装置の印刷保証領域情報を格納する情報格納部と、該情報格納部に格納された前記印刷保証領域情報に基づいて前記画像データの編集を行う編集部と、該編集部が編集を行ったことを意味する編集済み情報を編集済み画像データに付加する編集済み情報付加部とを有する印刷データ生成装置から送信された印刷データを印刷する印刷装置であって、
（ｂ）前記編集済み情報を認識する手段を有し、前記編集済み情報が認識されると前記画像データの編集を行わないことを特徴とする印刷装置。
【発明の詳細な説明】
【技術分野】
【０００１】
本発明は、印刷装置に送るための印刷データを生成するための印刷データ生成装置に関するものである。
【背景技術】
【０００２】
従来、パーソナルコンピュータ等のコンピュータ（以下「ＰＣ」という。）をスキャナ及びプリンタに接続し、前記スキャナで読み取った画像をプリンタに送信し、該プリンタにおいて印刷するシステムが提案されている（例えば、特許文献１参照。）。この場合、スキャナで読み取った画像を前記ＰＣによって、プリンタの用紙サイズなどの基本情報に適したコマンド体系に編集し、編集した印刷データをプリンタに送信する。そして、該プリンタは、その独自の印刷領域で印刷を行うようになっている。
【特許文献１】特開平９−２６１４１４号公報
【発明の開示】
【発明が解決しようとする課題】
【０００３】
しかしながら、前記従来のシステムにおいては、スキャナで読み取った画像をそのまま印刷しようとすると、プリンタ毎に印刷可能領域、すなわち、印刷保証領域が相違するので、画像の一部が欠落して印刷されてしまうことがあった。
【０００４】
図２は従来のシステムを示す図である。
【０００５】
図において、１０１はスキャナであり、１０２は該スキャナ１０１に接続されたＰＣであり、１０３は該ＰＣ１０２に接続されたプリンタである。ここで、スキャナ１０１は、画像１０５を読み取り、そのデータ、すなわち、読み取りデータをＰＣ１０２に送信する。なお、前記画像１０５はＡ４サイズを示す枠１０６内に収まっているものとする。そして、ＰＣ１０２で前記読み取りデータをプリンタ１０３の用紙サイズに適したコマンド体系に編集する。すなわち、コマンド編集を行う。なお、前記用紙サイズはＡ４サイズであるとする。そして、ＰＣ１０２からコマンド編集が行われた読み取りデータがプリンタ１０３に送信され、該プリンタ１０３が受信した読み取りデータをＡ４サイズの用紙１０６ａにそのまま印刷すると、印刷保証領域１０７がＡ４サイズよりも小さいので、一部が欠落した画像１０５ａが印刷されてしまう。
【０００６】
本発明は、前記従来の問題点を解決して、印刷装置の印刷保証領域情報を格納する情報格納部と、該情報格納部に格納された印刷保証領域情報に基づいて、画像データを編集する編集部とを有することによって、印刷装置に見合った画像データファイルを作成することができ、画像の一部が欠落することなく印刷を行うことができる印刷データ生成装置を提供することを目的とする。
【課題を解決するための手段】
【０００７】
そのために、本発明の印刷データ生成装置においては、画像データを印刷する印刷装置に送信する印刷データを生成する印刷データ生成装置であって、複数の前記印刷装置の印刷保証領域情報を格納する情報格納部と、該情報格納部に格納された前記印刷保証領域情報に基づいて前記画像データの編集を行う編集部と、前記印刷装置を識別する装置識別情報を選択し、選択した装置識別情報を付加した電子メールの表題を作成するための操作部と、前記画像データを添付した電子メールを作成する電子メール作成部と、該電子メール作成部が作成した電子メールを前記印刷装置に送信する電子メール送信制御部とを有し、前記編集部は、前記選択した装置識別情報に対応する印刷装置の印刷保証領域情報に基づいて、印刷可能な領域内に前記画像データを収めるための拡大又は縮小を含む編集を行い、前記電子メール作成部は、前記編集部が編集を行った画像データを添付した電子メールを作成し、前記電子メール送信制御部は、前記電子メール作成部が作成した電子メールを前記選択した装置識別情報に対応する印刷装置に送信する。
【発明の効果】
【０００８】
本発明によれば、印刷データ生成装置は、印刷装置の印刷保証領域情報を格納する情報格納部と、該情報格納部に格納された印刷保証領域情報に基づいて、画像データを編集する編集部とを有する。これにより、印刷装置に見合った画像データファイルを作成することができ、画像の一部が欠落することなく印刷を行うことができる。
【発明を実施するための最良の形態】
【０００９】
以下、本発明の実施の形態について図面を参照しながら詳細に説明する。
【００１０】
図３は本発明の第１の実施の形態における画像印刷システムの構成の概略を示す図である。
【００１１】
図において、１０は印刷データを生成するための印刷データ生成装置であり、スキャナ装置、ファクシミリ装置、プリンタ及び複写機の機能を併せ持つ複合機等としての多機能複合装置（以下「ＭＦＰ（複合型プリンタ：Ｍｕｌｔｉ  Ｆｕｎｃｔｉｏｎ  Ｐｒｉｎｔｅｒ）」という。）である。そして、該ＭＦＰ１０は、ネットワーク６０を介して、画像データを印刷する印刷装置としてのプリンタ５０、電子メールを送受信可能なメールサーバ３０及びパーソナルコンピュータ等のコンピュータ（以下「ＰＣ」という。）４０と通信可能に接続されている。
【００１２】
ここで、前記ＭＦＰ１０は、ＣＰＵ、ＭＰＵ等の演算手段、半導体メモリ等の記憶手段、液晶ディスプレイ、ＬＥＤ（Ｌｉｇｈｔ  Ｅｍｉｔｔｉｎｇ  Ｄｉｏｄｅ）ディスプレイ等の表示手段、キーボード、押しボタン、タッチパネル等の入力手段、通信インターフェイス等を備える。
【００１３】
そして、前記プリンタ５０は、モノクロ画像を形成するものであっても、カラー画像を形成するものであってもよい。さらに、前記プリンタ５０の画像形成方式も、電子写真方式に限らず、いかなるものであってもよく、例えば、インクジェット方式であってもよいし、ワイヤドット方式であってもよいし、インクリボン方式であってもよいし、熱転写方式であってもよい。なお、前記プリンタ５０は、ＣＰＵ、ＭＰＵ等の演算手段、半導体メモリ等の記憶手段、液晶ディスプレイ、ＬＥＤディスプレイ等の表示手段、キーボード、押しボタン、タッチパネル等の入力手段、通信インターフェイス等を備える。
【００１４】
また、前記ネットワーク６０は、例えば、ＵＳＢ（Ｕｎｉｖｅｒｓａｌ  Ｓｅｒｉａｌ  Ｂｕｓ）ケーブル等のケーブルであってもよいし、イントラネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等のネットワークであってもよいし、インターネット等を含むＩＰ（Ｉｎｔｅｒｎｅｔ  Ｐｒｏｔｏｃｏｌ）ネットワークであってもよい。
【００１５】
さらに、前記ＰＣ４０は、ＣＰＵ、ＭＰＵ等の演算手段、磁気ディスク、半導体メモリ等の記憶手段、ＣＲＴ、液晶ディスプレイ等の表示手段、キーボード等の入力手段、通信インターフェイス等を備えるコンピュータであり、例えば、パーソナルコンピュータであるが、いかなるものであってもよい。また、前記メールサーバ３０は、ＣＰＵ、ＭＰＵ等の演算手段、磁気ディスク、半導体メモリ等の記憶手段、ＣＲＴ、液晶ディスプレイ等の表示手段、キーボード等の入力手段、通信インターフェイス等を備えるコンピュータとしてのサーバであり、電子メールの送受信を管理する。
【００１６】
そして、本実施の形態においては、前記ＭＦＰ１０が原稿の画像を読み取り、生成した印刷データを前記ネットワーク６０を介して電子メールの添付ファイルとしてメールサーバ３０に送信することができ、個人のＰＣ４０が電子メールの添付ファイルとして印刷データを受信し、個人のＰＣ４０からプリンタ５０に印刷データを送信し、プリンタ５０が前記原稿の画像データを紙等の媒体に印刷するようになっている。なお、ネットワーク６０に接続されているプリンタは単数であっても複数であってもよいが、ここでは、プリンタ５０ですべてのプリンタを代表するものとして説明する。
【００１７】
次に、前記ＭＦＰ１０の構成について説明する。
【００１８】
図１は本発明の第１の実施の形態におけるＭＦＰの構成を示すブロック図である。
【００１９】
図１に示されるように、ＭＦＰ１０は、原稿の画像を読み取るための読み取り部１１、該読み取り部１１によって読み取った画像データを前記プリンタ５０の印刷可能領域情報、又は、印刷保証領域情報に基づいて編集処理を行うための編集部１４、前記ＭＦＰ１０の設定及びコピーの操作を行うための操作部としてのオペレーションパネル１２、プリンタ名や印刷可能領域情報、又は、印刷保証領域情報を格納したり、画像データを編集するための情報格納部としてのメモリ１３、前記編集された画像データを画像データファイルとしてのＰＤＦ（Ｐｏｒｔａｂｌｅ  Ｄｏｃｕｍｅｎｔ  Ｆｏｒｍａｔ）ファイルに変換するためのＰＤＦ作成部１５、前記オペレーションパネル１２での入力情報を基に、前記ＰＤＦ作成部１５で作成したＰＤＦファイルを添付ファイルとする電子メールを作成するための電子メール作成部１６、ＳＭＴＰ（Ｓｉｍｐｌｅ  Ｍａｉｌ  Ｔｒａｎｓｆｅｒ  Ｐｒｏｔｏｃｏｌ）を使って電子メールの送信制御を行うための電子メール送信制御部１７、及び、ＴＣＰＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）に則って、ネットワーク６０を制御するためのネットワーク制御部１８を有する。
【００２０】
ここで、印刷可能領域とは、プリンタ５０において、感光体ドラムの幅、露光部のＬＥＤヘッドの幅等によって決定される物理的に印刷が可能な範囲のことである。また、印刷保証領域とは、印刷可能範囲内で、印刷品質を保てるように印刷することができる範囲のことである。なお、印刷可能領域と印刷保証領域とは、同じ場合もあるが相違する場合もあり、一般的には印刷保証領域の方が狭い。
【００２１】
また、前記読み取り部１１は、ＣＣＤ（Ｃｈａｒｇｅ  Ｃｏｕｐｌｅｄ  Ｄｅｖｉｃｅ：電荷結合素子）、撮像管等の撮像素子、レンズ、画像が印刷された紙等の媒体、写真等の原稿を照らすランプ等を備え、原稿の画像を走査しながら読み取る装置である。
【００２２】
次に、前記オペレーションパネル１２の構成について説明する。
【００２３】
図４は本発明の第１の実施の形態におけるオペレーションパネルの構成を示すブロック図である。本実施の形態においては、印刷保証領域を使用する例を示す。印刷可能領域にも容易に対応できる。
【００２４】
図４に示されるように、オペレーションパネル１２は、情報を表示するための表示手段としてのＬＣＤ（Ｌｉｑｕｉｄ  Ｃｒｙｓｔａｌ  Ｄｉｓｐｌａｙ）１２ａ、数字やアルファベットなどの文字を入力するための入力手段としての文字入力キー１２ｂ、プリンタ名を登録するためのプリンタ登録部１２ｃ、該プリンタ登録部１２ｃで登録したプリンタ５０毎の印刷保証領域を登録するための印刷保証領域登録部１２ｄ、どのプリンタ５０の印刷領域に画像データを編集するかを選択するためのプリンタ選択部１２ｅ、読み取りの起動や登録の決定を行うためのスタートキー１２ｆ、及び、読み取りの停止や登録のキャンセルを行うためのストップキー１２ｇを備えている。
【００２５】
次に、前記メモリ１３の構成について説明する。
【００２６】
図５は本発明の第１の実施の形態におけるメモリの構成を示すブロック図である。
【００２７】
図５に示されるように、メモリ１３は、前記オペレーションパネル１２で入力された、プリンタ名を格納するためのプリンタ名格納部１３ａ、及び、印刷保証領域を格納するための印刷保証領域格納部１３ｂによって構成されている。なお、該印刷保証領域格納部１３ｂは、上下印刷保証領域及び左右印刷保証領域をそれぞれ格納することができる。また、前記プリンタ名格納部１３ａ及び印刷保証領域格納部１３ｂは、複数のプリンタ５０の情報を格納することができるようになっている。図示される例においては、プリンタ名がプリンタＡ及びプリンタＢである２つのプリンタ５０の情報が格納されている。更に、本実施の形態においては、Ａ４に対応する印刷保証領域を格納する例を示した。各用紙サイズに対応して格納する。
【００２８】
次に、前記構成の画像印刷システムの動作について説明する。まず、オペレーションパネル１２を操作してプリンタ名及び印刷保証領域を登録する動作について説明する。
【００２９】
図６は本発明の第１の実施の形態における読み取り原稿を示す図、図７は本発明の第１の実施の形態における印刷用紙の印刷保証領域を示す図、図８は本発明の第１の実施の形態におけるオペレーションパネルに表示されるメッセージの例を示す第１の図、図９は本発明の第１の実施の形態におけるオペレーションパネルに表示されるメッセージの例を示す第２の図、図１０は本発明の第１の実施の形態におけるオペレーションパネルに表示されるメッセージの例を示す第３の図、図１１は本発明の第１の実施の形態におけるプリンタ名及び印刷保証領域を登録する動作を示すフローチャートである。
【００３０】
まず、オペレータが、図４に示されるオペレーションパネル１２のプリンタ登録部１２ｃを操作し、プリンタ名の登録操作を開始すると、ＬＣＤ１２ａに、図８に示されるような「トウロクスル  プリンタメイヲ  ニュウリョク  シテクダサイ」というメッセージが表示される。次に、オペレータが文字入力キー１２ｂを操作してプリンタ名を入力し、スタートキー１２ｆを押すと、入力されたプリンタ名がメモリ１３のプリンタ名格納部１３ａに登録され格納される。この場合、プリンタ名として「プリンタＡ」を入力すると、図５に示されるように、プリンタ名格納部１３ａにプリンタ名が格納される。
【００３１】
次に、オペレータがオペレーションパネル１２の印刷保証領域登録部１２ｄの操作を開始すると、図９に示されるような「プリンタヲ  センタク  シテクダサイ」というメッセージとともに登録されているプリンタ名がＬＣＤ１２ａに表示される。ここでは、プリンタＡ及びプリンタＢが登録されているものとする。そこで、プリンタＡを選択すると、図１０に示されるような「インサツホショウリョウイキヲ  ニュウリョク  シテクダサイ（Ａ４）」というメッセージが表示されるので、オペレータは文字入力キー１２ｂを操作して、プリンタＡの左右及び上下方向の印刷保証領域を登録する。すると、登録された内容は、メモリ１３の印刷保証領域登録部１３ｂに登録される。
【００３２】
通常、印刷保証領域は印刷可能領域に関係しており、物理的に制限されているものが多く、また、その制限値はプリンタ５０によって異なる。つまり、図６及び７に示されるように、読み取り原稿１９と印刷用紙２０とでは、左右読み取り領域１９ａ＞左右印刷保証領域２０ａ、かつ、上下読み取り領域１９ｂ＞上下印刷保証領域２０ｂという関係にあるので、それぞれ、上下、左右の領域の差分が印刷時に欠落することになる。そこで、プリンタ５０のスペックやカタログ等に記載してある印刷保証領域をここで設定する。そして、例えば、前記読み取り原稿１９がＡ４サイズの用紙である場合、図５に示されるように、プリンタ５０としてプリンタＡを選択し、左右印刷保証領域（ヨコホウコウ）に２００〔ｍｍ〕、上下印刷保証領域（タテホウコウ）に２５０〔ｍｍ〕と入力するようにする。
【００３３】
次に、フローチャートについて説明する。
ステップＳ１  オペレーションパネル１２のプリンタ登録部１２ｃを操作し、プリンタ名をメモリ１３のプリンタ名格納部１３ａに登録する。
ステップＳ２  登録されたプリンタを選択し、オペレーションパネル１２の印刷保証領域登録部１２ｄの操作を開始して、プリンタの左右及び上下方向の印刷保証領域を登録して、処理を終了する。
【００３４】
次に、電子メールによって印刷データをＭＦＰ１０からメールサーバ３０に送信する動作について説明する。
【００３５】
図１２は本発明の第１の実施の形態におけるプリンタに表示されるメッセージの例を示す第４の図、図１３は本発明の第１の実施の形態におけるプリンタに表示されるメッセージの例を示す第５の図、図１４は本発明の第１の実施の形態におけるプリンタに表示されるメッセージの例を示す第６の図、図１５は本発明の第１の実施の形態におけるプリンタに表示されるメッセージの例を示す第７の図、図１６は本発明の第１の実施の形態における電子メールによって印刷データを送信する動作を示すフローチャートである。
【００３６】
まず、ＭＦＰ１０のオペレーションパネル１２に、電子メールの宛（あて）先を入力するためのメッセージ、すなわち、図１２に示されるような「Ｅ−ｍａｉｌ  アドレスヲ  ニュウリョク  シテクダサイ」というメッセージがＬＣＤ１２ａに表示される。そこで、オペレータは文字入力キー１２ｂを操作して、電子メールの宛先を入力する。続いて、図１３に示されるような「Ｅ−ｍａｉｌ  タイトル  ヲ  ニュウリョク  シテクダサイ」という電子メールの表題の入力、すなわち、電子メールのタイトルの入力を促すメッセージがＬＣＤ１２ａに表示される。そこで、オペレータは文字入力キー１２ｂを操作して、電子メールの表題を入力する。
【００３７】
次に、図１４に示されるような「ヒョウジュンノ  データ  イガイノ  ヘンシュウヲオコナウトキハ、  プリンタセンタクキーヲ  オシテクダサイ」というメッセージがＬＣＤ１２ａに表示される。すなわち、通常のＰＤＦファイルを作成するか、又は、プリンタ５０に合わせて編集するかの選択表示がＬＣＤ１２ａに表示される。そして、オペレータがオペレーションパネル１２のプリンタ選択部１２ｅを押すと、図１５に示されるような「オツカイノ  プリンタヲ  センタク  シテクダサイ」というメッセージとともに登録されているプリンタ５０の装置識別情報としてのプリンタ名がＬＣＤ１２ａに表示される。そこで、オペレータは、画像データをどのプリンタ５０で印刷するかを選択する。なお、プリンタ５０を選択しない場合には、スタートキー１２ｆを押すと、読み取った画像データを編集せずにそのまま標準のＰＤＦファイルを作成する。
【００３８】
次に、オペレータがスタートキー１２ｆを押すことによって電子メール送信の起動が行われ、読み取り部１１は、画像の読み取りを行い、読み取った画像データをメモリ１３に格納する。続いて、前述のようにオペレータによって選択されたプリンタ名に基づいて、メモリ１３のプリンタ名格納部１３ａに格納されているプリンタ名の中からプリンタ５０が検索され、検索されたプリンタ５０に対応した印刷保証領域情報を印刷保証領域格納部１３ｂから入手する。
【００３９】
次に、編集部１４は、前記印刷保証領域情報に基づき、メモリ１３に格納された画像データを前記保証可能領域を考慮した大きさになるように編集を行う。例えば、図６の読み取り原稿１９は、左右読み取り領域１９ａが２１０〔ｍｍ〕で、上下読み取り領域１９ｂが２９７〔ｍｍ〕である。そして、図５に示されるプリンタＡが選択された場合、図７に示されるように、印刷用紙２０の印刷保証領域は、左右印刷保証領域２０ａが２００〔ｍｍ〕で、上下印刷保証領域２０ｂが２５０〔ｍｍ〕である。そこで、編集部１４は、印刷保証領域に収まるように、画像データの縮小処理を行う。例えば、画像全体を２５０／２９７倍縮小したり、上下は２５０／２９７倍、左右は２０／２１倍にしてもよい。そして、ＰＤＦ作成部１５は、編集された画像データをＰＤＦファイルに変換する。
【００４０】
続いて、電子メール作成部１６は、オペレーションパネル１２を操作することによって入力された宛先及び表題を備え、ＰＤＦ作成部１５によって作成されたＰＤＦファイルを添付ファイルとする電子メールを作成する。そして、電子メール送信制御部１７は、標準の電子メールを送信するときに使われるＳＭＴＰを使用し、前記電子メールの送信制御を行う。さらに、ネットワーク制御部１８はネットワーク通信を行うときに使われる標準のＴＣＰＩＰに則ってネットワーク６０を制御することによって、電子メールがメールサーバ３０に送信される。
【００４１】
次に、フローチャートについて説明する。
ステップＳ１１  オペレーションパネル１２の文字入力キー１２ｂを操作して電子メールの宛先を入力する。
ステップＳ１２  オペレーションパネル１２の文字入力キー１２ｂを操作して電子メールの表題を入力する。
ステップＳ１３  オペレーションパネル１２の文字入力キー１２ｂを操作してどのプリンタ５０で印刷するかを選択する。
ステップＳ１４  オペレーションパネル１２の文字入力キー１２ｂを操作して電子メール送信のスタートキー１２ｆを押す。
ステップＳ１５  読み取り部１１は、画像データの読み取りを行う。
ステップＳ１６  選択されたプリンタ名に基づいて、メモリ１３のプリンタ名格納部１３ａに格納されているプリンタ名の中からプリンタ５０が検索され、検索されたプリンタ５０に対応した印刷保証領域情報を入手する。
ステップＳ１７  編集部１４は、前記印刷保証領域情報に基づき、メモリ１３に格納された画像データを前記印刷保証領域を考慮した大きさになるように編集を行う。
ステップＳ１８  ＰＤＦ作成部１５は、編集された画像データをＰＤＦファイルに変換する。
ステップＳ１９  電子メール作成部１６は、オペレーションパネル１２を操作することによって入力された宛先及び表題を備え、ＰＤＦ作成部１５によって作成されたＰＤＦファイルを添付ファイルとする電子メールを作成する。
ステップＳ２０  電子メール送信制御部１７はＳＭＴＰを使用し、電子メールの送信制御を行う。
ステップＳ２１  ネットワーク制御部１８によって、電子メールがメールサーバ３０に送信され、処理を終了する。
【００４２】
このように、本実施の形態においては、印刷データ生成装置としてのＭＦＰ１０が、プリンタ５０の印刷保証領域情報を格納するメモリ１３と、該メモリ１３に格納された印刷保証領域情報に基づいて前記画像データを編集する編集部１４とを有する。そのため、ＭＦＰ１０がプリンタ５０に見合ったＰＤＦファイルを作成することができるので、プリンタ５０が印刷を行うときに、画像の一部が欠落することがない。本実施の形態においては、ＭＦＰの別体のプリンタの例を示したが、ＭＦＰが有するプリンタであってもよい。すなわち、画像データがスキャンされ、メール送信ではなく印刷が指示されると、ＭＦＰ自体の有するプリンタに応じた印刷保証領域情報に基づき編集処理を行う。そして、編集された画像データはＭＦＰプリンタ部に送信され印刷される。ＭＦＰ自体のプリンタの印刷保証領域情報は、あらかじめＭＦＰの印刷保証領域情報格納部に格納されている。
【００４３】
次に、本実施の形態の変形例について説明する。
【００４４】
図１７は本発明の第１の実施の形態の変形例におけるＭＦＰの構成を示すブロック図である。
【００４５】
図１７に示されるように、ＭＦＰ１０は、読み取り部１１、オペレーションパネル１２、メモリ１３、編集部１４、メニュー設定判断部２３及び印刷部２４を有する。
【００４６】
ここで、読み取り部１１は、前記第１の実施の形態における読み取り部１１と同様のものであり、図示されない原稿台にセットされた原稿を走査しながら読み取り、画像データを生成する。また、オペレーションパネル１２は、前記第１の実施の形態におけるオペレーションパネル１２と同様のものであり、機能の観点から、コピーの指定、装置メニューの設定等の指示情報を入力する入力部と、装置状態情報、装置メニュー項目等を表示する表示部とを有する。
【００４７】
そして、メモリ１３は、プリンタ５０毎又は用紙サイズ毎の印刷可能領域情報を格納する印刷可能領域情報テーブル１３ｃ、及び、装置メニューの各種設定情報を格納するメニュー設定情報格納部１３ｄを有する。また、メニュー設定判断部２３は、メモリ１３のメニュー設定情報格納部１３ｄからサイズ調整メニューの設定値を読み出し、有効に設定されているのか、無効に設定されているのかを判断する。
【００４８】
さらに、編集部１４は、サイズ調整メニューが調整有効に設定されている場合、ＭＦＰ１０内のプリンタである印刷部２４の印刷可能領域情報であって、原稿サイズに対応した用紙サイズと対となる印刷可能領域情報を読み出し、その印刷可能領域のサイズに基づき、読み取り部１１から渡された画像データを編集する。また、サイズ調整メニューが調整無効に設定されている場合には、読み取り部１１から渡された画像データを編集せずに、そのまま印刷部２４へ出力する。
【００４９】
そして、該印刷部２４は、編集部１４から渡された画像データを印刷可能なビットマップデータに変換し、内蔵する図示されないプリンタエンジンに渡すことによってＭＰＦ１０に格納された媒体に画像データを印刷する。なお、印刷部２４は、ネットワーク６０に接続されているプリンタ５０と同様のものであるが、ＭＦＰ１０内に配設されているプリンタであり、プリンタ名がプリンタＸである。
【００５０】
次に、前記メモリ１３の構成について説明する。
【００５１】
図１８は本発明の第１の実施の形態の変形例におけるメモリの印刷可能領域情報テーブルの構成を示すブロック図である。
【００５２】
印刷可能領域情報テーブル１３ｃには、ＭＦＰ１０の初期設定においては、プリンタ名がプリンタＸである印刷部２４の情報のみが登録されている。なお、プリンタＡの情報は、前記第１の実施の形態で説明したように、オペレータによって登録されたり、プリンタＡとの通信により取得されることによって登録される。
【００５３】
この場合、印刷可能領域情報テーブル１３ｃには、プリンタ５０毎に複数の用紙サイズに対応した印刷可能領域情報が格納されている。
【００５４】
次に、本変形例における画像印刷システムの動作について説明する。
【００５５】
図１９は本発明の第１の実施の形態の変形例におけるサイズ調整メニュー項目の表示を示す図、図２０は本発明の第１の実施の形態の変形例における原稿をコピーする動作を示すフローチャートである。
【００５６】
まず、オペレータは、コピーすべき原稿をＭＦＰ１０の図示されない原稿台にセットする。続いて、オペレータは、オペレーションパネル１２を操作してコピーの指定を行う。すると、読み取り部１１は、コピーの指定に基づき、原稿台にセットされた原稿を走査しながら読み取り、画像データを生成する。
【００５７】
次に、ＭＦＰ１０は、メモリ１３のメニュー設定情報格納部１３ｄに格納されているサイズ調整メニュー項目に対応する設定値を読み出し、サイズ調整メニューが有効に設定されているか否かを判断する。なお、オペレーションパネル１２には、図１９に示されるように、サイズ調整メニューが有効であるか無効であるかが表示されている。そして、図１９に示される例のように、サイズ調整が有効に設定されている場合、メモリ１３の印刷可能領域情報テーブル１３ｃから、原稿の用紙サイズ、すなわち、原稿サイズに応じた印刷可能領域情報を取得する。この場合、オペレータがオペレーションパネル１２を操作してコピーの指定を行っているので、ＭＦＰ１０に配設されているプリンタとしての印刷部２４の印刷可能領域情報を取得する。また、原稿サイズに応じて印刷に使用する媒体の用紙サイズが選択され、その選択された用紙サイズに対応する印刷可能領域情報が取得される。
【００５８】
次に、編集部１４は、取得した印刷可能領域情報に基づき、読み取り部１１から渡された画像データが印刷可能領域内に収まるように画像データを編集し、編集した画像データを印刷部２４に渡す。すると、該印刷部２４は渡された画像データを印刷出力する。これにより、処理が終了する。
【００５９】
一方、サイズ調整メニューが有効に設定されているか否かを判断して、サイズ調整が無効に設定されている場合、編集部１４は、印刷可能領域内に収まるように画像データを編集することなく、そのまま印刷部２４に渡す。すると、該印刷部２４はそのまま画像データを印刷出力する。
【００６０】
次に、フローチャートについて説明する。
ステップＳ３１  原稿をセットする。
ステップＳ３２  コピーを指定する。
ステップＳ３３  原稿を読み取る。
ステップＳ３４  サイズ調整メニューが有効に設定しているか否かを判断する。サイズ調整メニューが有効に設定している場合はステップＳ３５へ進み、サイズ調整メニューが有効に設定していない場合はステップＳ３７へ進む。
ステップＳ３５  原稿サイズに応じた印刷可能領域情報を取得する。
ステップＳ３６  印刷可能領域情報に基づき画像データの編集を行う。
ステップＳ３７  印刷を行い、処理を修了する。
【００６１】
なお、本変形例においては、装置メニューの設定によってサイズ調整が有効に設定されているか無効に設定されているかを判断する場合について説明したが、装置メニューを設けることなく、読み取り部１１が生成した画像データのサイズを印刷に使用する媒体の用紙サイズに対応する印刷可能領域サイズと比較し、読み取り部１１が生成した画像データのサイズが印刷に使用する媒体の用紙サイズに対応する印刷可能領域サイズより大きい場合には画像データを編集し、小さい場合には画像データを編集しないようにしてもよい。
【００６２】
また、本変形例においては、コピー動作について説明したが、前記第１の実施の形態のように電子メールを送信する場合においても、プリンタとして印刷部２４を選択することもできる。
【００６３】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００６４】
図２１は本発明の第２の実施の形態におけるＭＦＰの構成を示すブロック図である。
【００６５】
本実施の形態において、ＭＦＰ１０は、図２１に示されるように、ネットワーク６０上のプリンタ５０を認識するためのＭＩＢ（Ｍａｎａｇｅｍｅｎｔ  Ｉｎｆｏｒｍａｔｉｏｎ  Ｂａｓｅ）を生成し、ネットワーク６０上に存在するプリンタ５０を特定した後に、各プリンタ５０に対して、印刷保証領域情報を返信するように要求するためのＰＪＬ（Ｐｒｉｎｔｅｒ  Ｊｏｂ  Ｌａｎｇｕａｇｅ）コマンドを生成するＭＩＢ／ＰＪＬコマンド制御部２１、及び、プリンタ５０からの応答があったＭＩＢ及びＰＪＬコマンドを解析するＭＩＢ／ＰＪＬコマンド解析部２２を更に有する。なお、その他の点の構成については、前記第１の実施の形態と同様であるので説明を省略する。
【００６６】
次に、本実施の形態におけるプリンタ５０の構成について説明する。
【００６７】
図２２は本発明の第２の実施の形態におけるプリンタの構成を示すブロック図である。
【００６８】
図２２に示されるように、プリンタ５０は、ネットワーク６０から受信したＭＩＢ及びＰＪＬコマンドを解析するためのＭＩＢ／ＰＪＬコマンド解析部５１、該ＭＩＢ／ＰＪＬコマンド解析部５１で解析した結果が、装置識別情報としてのプリンタ名の問い合わせである場合に、プリンタ名をＭＩＢの応答として作成したり、前記ＭＩＢ／ＰＪＬコマンド解析部５１で解析した結果が、印刷保証領域情報を要求するＰＪＬである場合に、印刷保証領域をＰＪＬコマンドの応答として作成するためのＭＩＢ／ＰＪＬコマンド制御部５２、ネットワーク６０の通信制御を行うためのネットワーク制御部５３、プリンタ言語を解釈するためのエミュレーション部５５、及び、印刷制御を行うための印刷部５４を有する。
【００６９】
次に、本実施の形態における画像印刷システムの動作について説明する。
【００７０】
図２３は本発明の第２の実施の形態における画像印刷システムのシーケンスを示す図、図２４は本発明の第２の実施の形態における画像印刷システムの動作を示すフローチャートである。
【００７１】
前記第１の実施の形態において、メモリ１３のプリンタ名格納部１３ａ及び印刷保証領域格納部１３ｂへの情報の登録は、オペレータがオペレーションパネル１２の文字入力キー１２ｂを操作することによって行われた。これに対し、本実施の形態においては、ネットワーク６０を介して接続されたプリンタ５０と通信することによって取得した情報をメモリ１３のプリンタ名格納部１３ａ及び印刷保証領域格納部１３ｂへ登録するようになっている。すなわち、各プリンタは各自の印刷保証領域情報を保持している。
【００７２】
まず、ＭＦＰ１０のＭＩＢ／ＰＪＬコマンド制御部２２がネットワーク６０上の接続可能なプリンタ５０を検索するためのＭＩＢコマンドを作成し、ネットワーク制御部１８が前記ＭＩＢコマンドをネットワーク６０上でブロードキャスト送信し、その応答をＭＩＢ／ＰＪＬコマンド解析部２２が解析することによってプリンタ５０の検索を実行する。
【００７３】
ブロードキャストに応答したプリンタに対して、例えば、図２３に示されるように、ＭＦＰ１０がネットワーク６０上にあるプリンタＡとプリンタＢに対して、ＭＩＢコマンドを送信する場合、まず、ＭＦＰ１０はプリンタ名問い合わせＭＩＢをプリンタＢに送信し、該プリンタＢからプリンタ名を受信する。同様に、ＭＦＰ１０はプリンタ名問い合わせＭＩＢをプリンタＡに送信し、該プリンタＡからプリンタ名を受信する。
【００７４】
次に、接続可能なプリンタ５０を検索することができた場合、ＭＦＰ１０のＭＩＢ／ＰＪＬコマンド制御部２１は、印刷保証領域情報を取得するためのＰＪＬコマンドを作成し、ネットワーク制御部１８が、検索されたプリンタ５０に対して、作成したＰＪＬコマンドを送信する。
【００７５】
ここで、例えば、プリンタＢはＰＪＬをサポートしていないプリンタであり、プリンタＡはＰＪＬをサポートしているプリンタであるとする。そして、ＭＦＰ１０は、プリンタ名を認識することによって、ＰＪＬをサポートしているプリンタであるか否かを判断することができるものとする。なお、ＭＦＰ１０は、各プリンタ５０に対して能力の問い合わせを行うようにしてもよい。そして、プリンタ名問い合わせＭＩＢに対してプリンタＡという応答を受け取った後に、ＭＦＰ１０は、印刷保証領域問い合わせＰＪＬをプリンタＡに送信し、プリンタＡから左右印刷保証領域２０ａ及び上下印刷保証領域２０ｂの応答を受信する。
【００７６】
続いて、ＭＦＰ１０は、プリンタＡから受信した印刷保証領域情報を含んだＰＪＬの応答コマンドをＭＩＢ／ＰＪＬコマンド解析部２２で解析し、プリンタ名をメモリ１３のプリンタ名格納部１３ａに格納し、印刷保証領域情報を印刷保証領域格納部１３ｂに格納する。
【００７７】
なお、その他の動作については、前記第１の実施の形態と同様であるので説明を省略する。
【００７８】
次に、図２３に示されるシーケンスのステップについて説明する。
ステップＳ４１  ＭＦＰ１０はプリンタ名問い合わせＭＩＢをプリンタＢに送信する。
ステップＳ４２  ＭＦＰ１０はプリンタＢからプリンタ名を受信する。
ステップＳ４３  ＭＦＰ１０はプリンタ名問い合わせＭＩＢをプリンタＡに送信する。
ステップＳ４４  ＭＦＰ１０はプリンタＡからプリンタ名を受信する。
ステップＳ４５  ＭＦＰ１０は印刷保証領域問い合わせＰＪＬをプリンタＡに送信する。
ステップＳ４６  ＭＦＰ１０はプリンタＡから左右印刷保証領域２０ａ及び上下印刷保証領域２０ｂの応答を受信する。
【００７９】
次に、図２４に示されるフローチャートについて説明する。
ステップＳ５１  ＭＩＢ／ＰＪＬコマンド解析部２２がネットワーク６０上の接続可能なプリンタ５０を検索する。
ステップＳ５２  ＭＦＰ１０のＭＩＢ／ＰＪＬコマンド制御部２１は、印刷保証領域情報を取得するためのＰＪＬコマンドを作成する。
ステップＳ５３  ネットワーク制御部１８が、検索されたプリンタ５０に対して、作成したＰＪＬコマンドを送信する。
ステップＳ５４  プリンタから受信した印刷保証領域情報を含んだＰＪＬの応答コマンドをＭＩＢ／ＰＪＬコマンド解析部２２で解析する。
ステップＳ５５  印刷保証領域情報をメモリ１３の印刷保証領域格納部１３ｂに格納して、処理を終了する。
【００８０】
このように、本実施の形態においては、接続可能なプリンタ５０の装置識別情報及びプリンタ５０毎の印刷保証領域情報を、ＭＦＰ１０とプリンタ５０との間で特定のコマンドを用いて通信することによって取得し、取得した情報をメモリ１３に格納するようになっている。そのため、オペレーションパネル１２を操作してプリンタ５０の装置識別情報及び印刷保証領域情報を入力する必要がなく、使い勝手が向上する。なお、その他の点の効果については、前記第１の実施の形態と同様である。
【００８１】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００８２】
図２５は本発明の第３の実施の形態における電子メール作成部の構成を示すブロック図である。
【００８３】
本実施の形態におけるＭＦＰ１０の電子メール作成部１６は、図２５に示されるように、オペレーションパネル１２の操作によって入力された情報に基づいて電子メールの表題を作成するための電子メール表題作成部１６ａ、オペレーションパネル１２の操作によって入力された電子メールの表題に選択されたプリンタ名を付加した表題を作成するためのプリンタ名付加部１６ｂ、オペレーションパネル１２の操作によって入力された情報に基づいて電子メールの添付ファイルの名前を作成するための添付ファイル名作成部１６ｃ、及び、オペレーションパネル１２の操作によって入力された電子メールの表題に選択されたプリンタ５０の装置識別子情報としてのプリンタ名を付加した添付ファイル名を作成するためのプリンタ名付加部１６ｄを備える。なお、その他の点の構成については、前記第１の実施の形態と同様であるので説明を省略する。
【００８４】
次に、本実施の形態における画像印刷システムの動作について説明する。
【００８５】
図２６は本発明の第３の実施の形態における電子メール作成部で作成される電子メールの内容の例を示す図、図２７は本発明の第３の実施の形態における作成した印刷データを電子メールでメールサーバに送信する動作を示すフローチャートである。
【００８６】
まず、オペレータは、ＭＦＰ１０のオペレーションパネル１２を操作して電子メールの宛先を入力し、電子メールの表題と添付ファイルの名称とを入力する。次に、オペレータは、オペレーションパネル１２を操作してプリンタ名を選択し、オペレーションパネル１２を操作して電子メール送信の起動を行う。すると、読み取り部１１が画像の読み取りを行い、読み取られた画像データはメモリ１３に格納される。
【００８７】
続いて、選択されたプリンタ名に基づいて、メモリ１３のプリンタ名格納部１３ａに格納してあるプリンタ名の中から検索し、それに対応した印刷保証領域情報を印刷保証領域格納部１３ｂから入手する。
【００８８】
次に、編集部１４は、前記印刷保証領域情報に基づき、メモリ１３に格納された画像データを前記印刷保証領域を考慮した大きさとするように編集を行う。そして、ＰＤＦ作成部１５は、編集された画像データをＰＤＦファイルに変換する。
【００８９】
続いて、電子メール作成部１６の電子メール表題作成部１６ａは、オペレーションパネル１２を操作して入力された情報に基づき、電子メールの表題を作成し、プリンタ名付加部１６ｂは、オペレーションパネル１２を操作して選択されたプリンタ名を前記表題に付加する。
【００９０】
また、電子メール作成部１６の添付ファイル名作成部１６ｃは、オペレーションパネル１２を操作して入力された情報に基づき、電子メールの添付ファイルの名前を作成し、プリンタ名付加部１６ｄは、オペレーションパネル１２を操作して入力された添付ファイル名に、選択されたプリンタ名を付加した添付ファイル名を作成する。そして、電子メール作成部１６は、オペレーションパネル１２を操作して入力された宛先と作成した表題を添付ファイルに基づき、電子メールを作成する。
【００９１】
そして、電子メール送信制御部１７は、標準の電子メールを送信するときに使われるＳＭＴＰを使用して電子メールの送信制御を行う。さらに、ネットワーク制御部１８はネットワーク通信を行うときに使われる標準のＴＣＰＩＰに則ってネットワーク６０を制御することによって、電子メールがメールサーバ３０に送信される。
【００９２】
なお、図２６に示されるような内容の電子メールが、電子メール作成部１６によって作成される。図２６に示される例は、オペレーションパネル１２を操作することによって、表題としての「Ｔｅｓｔ  ｆｉｌｅ」、添付ファイル名としての「Ｓａｍｐｌｅ」が入力され、プリンタ名として「Ｃ５５１０ＭＦＰ」が選択された場合の例である。
【００９３】
この場合、表題がＴｅｓｔ  ｆｉｌｅ（Ｃ５５１０ＭＦＰ）となり、添付ファイル名がＳａｍｐｌｅ（Ｃ５５１０ＭＦＰ）．ＰＤＦとなるので、電子メールを受信したユーザは、どのプリンタ用の印刷データかを即座に判別することができる。
【００９４】
次に、フローチャートについて説明する。
ステップＳ６１  オペレーションパネル１２を操作して電子メールの宛先を入力する。
ステップＳ６２  オペレーションパネル１２を操作して電子メールの表題と添付ファイルの名称とを入力する。
ステップＳ６３  オペレーションパネル１２を操作してプリンタ名を選択する。
ステップＳ６４  オペレーションパネル１２を操作して電子メール送信のスタートキー１２ｆを押す。
ステップＳ６５  読み取り部１１は、画像データの読み取りを行う。
ステップＳ６６  選択されたプリンタ名に基づいて、メモリ１３のプリンタ名格納部１３ａに格納されているプリンタ名の中からプリンタ５０が検索され、検索されたプリンタ５０に対応した印刷保証領域情報を入手する。
ステップＳ６７  編集部１４は、前記印刷保証領域情報に基づき、メモリ１３に格納された画像データを前記印刷保証領域を考慮した大きさになるように編集を行う。
ステップＳ６８  ＰＤＦ作成部１５は、編集された画像データをＰＤＦファイルに変換する。
ステップＳ６９  電子メール作成部１６の電子メール表題作成部１６ａは、オペレーションパネル１２を操作して入力された情報に基づき、電子メールの表題を作成し、プリンタ名付加部１６ｂは、オペレーションパネル１２を操作して選択されたプリンタ名を付加した表題を作成する。
ステップＳ７０  電子メール作成部１６の添付ファイル名作成部１６ｃは、オペレーションパネル１２を操作して入力された情報に基づき、電子メールの添付ファイルの名前を作成し、プリンタ名付加部１６ｄは、オペレーションパネル１２を操作して入力された添付ファイル名に、選択されたプリンタ名を付加した添付ファイル名を作成する。
ステップＳ７１  電子メール作成部１６は、オペレーションパネル１２を操作することによって入力された宛先及び表題を備え、ＰＤＦ作成部１５によって作成されたＰＤＦファイルを添付ファイルとする電子メールを作成する。
ステップＳ７２  電子メール送信制御部１７はＳＭＴＰを使用し、電子メールの送信制御を行う。
ステップＳ７３  ネットワーク制御部１８によって、電子メールがメールサーバ３０に送信され、処理を終了する。
【００９５】
このように、本実施の形態においては、印刷データ生成装置としてのＭＦＰ１０のオペレーションパネル１２を操作することによって選択されたプリンタ５０の装置識別子情報を電子メールの添付ファイルの名称及び電子メールの表題に付加するようになっている。そのため、添付ファイルをどのプリンタ５０で印刷するのが最適であるかを可視的に判断することができるので、使い勝手が向上する。また、メールの本文中に選択されたプリンタ名を入れてもよい。
【００９６】
次に、本発明の第４の実施の形態について説明する。なお、第１〜第３の実施の形態と同じ構造を有するものについては、同じ符号を付与することによってその説明を省略する。また、前記第１〜第３の実施の形態と同じ動作及び同じ効果についても、その説明を省略する。
【００９７】
まず、本実施の形態におけるＭＦＰ１０の構成について説明する。
【００９８】
図２８は本発明の第４の実施の形態におけるＭＦＰの構成を示すブロック図である。
【００９９】
本実施の形態におけるＭＦＰ１０のＰＤＦ作成部１５は、図２８に示されるように、編集部１４で画像データの編集処理を施したことを意味する情報をＰＤＦファイルのヘッダ部に付加するための編集済み情報付加部１５ａを有する。なお、その他の点の構成については、前記第２の実施の形態と同様であるので説明を省略する。
【０１００】
次に、本実施の形態におけるプリンタ５０の構成について説明する。
【０１０１】
図２９は本発明の第４の実施の形態におけるプリンタの構成を示すブロック図である。
【０１０２】
図２９に示されるように、プリンタ５０のエミュレーション部５５は、ＰＤＦファイルのヘッダ部から編集済みの情報を見つけるための編集済み情報認識部５５ａを有する。なお、その他の点の構成については、前記第２の実施の形態と同様であるので説明を省略する。
【０１０３】
次に、本実施の形態における画像印刷システムの動作について説明する。
【０１０４】
図３０は本発明の第４の実施の形態における作成した印刷データを電子メールでメールサーバに送信する動作を示すフローチャートである。
【０１０５】
なお、画像を読み取り、画像データを編集してＰＤＦファイルに変換するまでの動作については、前記第１の実施の形態と同様であるので説明を省略する。
【０１０６】
そして、ＰＤＦ作成部１５は、編集部１４によって編集された画像データをＰＤＦファイルに変換する。続いて、編集済み情報付加部１５ａは、ＰＤＦファイルのヘッダ部に編集済みを意味する情報を付加する。なお、以降の動作についても、前記第１の実施の形態と同様であるので説明を省略する。
【０１０７】
次に、フローチャートについて説明する。
ステップＳ８１  オペレーションパネル１２の文字入力キー１２ｂを操作して電子メールの宛先を入力する。
ステップＳ８２  オペレーションパネル１２の文字入力キー１２ｂを操作して電子メールの表題を入力する。
ステップＳ８３  オペレーションパネル１２の文字入力キー１２ｂを操作してどのプリンタ５０で印刷するかを選択する。
ステップＳ８４  オペレーションパネル１２の文字入力キー１２ｂを操作して電子メール送信のスタートキー１２ｆを押す。
ステップＳ８５  読み取り部１１は、画像データの読み取りを行う。
ステップＳ８６  選択されたプリンタ名に基づいて、メモリ１３のプリンタ名格納部１３ａに格納されているプリンタ名の中からプリンタ５０が検索され、検索されたプリンタ５０に対応した印刷保証領域情報を入手する。
ステップＳ８７  編集部１４は、前記印刷保証領域情報に基づき、メモリ１３に格納された画像データを前記印刷保証領域を考慮した大きさになるように編集を行う。
ステップＳ８８  ＰＤＦ作成部１５は、編集された画像データをＰＤＦファイルに変換する。
ステップＳ８９  編集済み情報付加部１５ａは、ＰＤＦファイルのヘッダ部に編集済みを意味する情報を付加する。
ステップＳ９０  電子メール作成部１６は、オペレーションパネル１２を操作することによって入力された宛先及び表題を備え、ＰＤＦ作成部１５によって作成されたＰＤＦファイルを添付ファイルとする電子メールを作成する。
ステップＳ９１  電子メール送信制御部１７はＳＭＴＰを使用し、電子メールの送信制御を行う。
ステップＳ９２  ネットワーク制御部１８によって、電子メールがメールサーバ３０に送信され、処理を終了する。
【０１０８】
次に、ＰＤＦファイルを受信したプリンタ５０の動作について説明する。
【０１０９】
図３１は本発明の第４の実施の形態におけるＰＤＦファイルを受信したときのプリンタの動作を示すフローチャートである。
【０１１０】
まず、プリンタ５０のエミュレーション部５５の編集済み情報認識部５５ａは、受信したＰＤＦファイルのヘッダ部を解析し、編集済みを意味する情報を検索し、編集済みであるか否かを判断する。そして、編集済みである場合、すなわち、前記編集済みを意味する情報が見つかった場合、既に編集済みなので、エミュレーション部５５は編集することなく、受信した画像データを拡大／縮小することなく印刷部５４が印刷を行う。また、編集済みでない場合、すなわち、前記編集済みを意味する情報が見つからなかった場合、エミュレーション部５５は印刷保証範囲に収まるように編集処理を実行し、印刷部５４が印刷を行い処理を終了する。
【０１１１】
次に、フローチャートについて説明する。
ステップＳ１０１  編集済みであるか否かを判断する。編集済みである場合はステップＳ１０３に進み、編集済みでない場合はステップＳ１０２に進む。
ステップＳ１０２  印刷範囲に収まるように編集処理を実行する。
ステップＳ１０３  印刷部５４で印刷を行い処理を終了する。
【０１１２】
このように、本実施の形態においては、印刷データ生成装置としてのＭＦＰ１０が、編集済み情報を編集済み画像データに付加する仕組みを有し、プリンタ５０が編集済み情報を認識する手段、及び、画像データが編集済みであると認識したときには、通常の編集処理を行わない仕組みを有する。そのため、印刷処理時間が早くなり、使い勝手が向上する。
【０１１３】
なお、前記第１〜第４の実施の形態においては、印刷データ生成装置がＭＦＰである場合について説明したが、特にこれに限ったものではなく、印刷データ生成装置がネットワークスキャナ、ＰＣにインストールされるプリンタドライバ及びユーティリティである場合にも適用可能である。
【０１１４】
また、本発明は前記実施の形態に限定されるものではなく、本発明の趣旨に基づいて種々変形させることが可能であり、それらを本発明の範囲から排除するものではない。
【図面の簡単な説明】
【０１１５】
【図１】本発明の第１の実施の形態におけるＭＦＰの構成を示すブロック図である。
【図２】従来のシステムを示す図である。
【図３】本発明の第１の実施の形態における画像印刷システムの構成の概略を示す図である。
【図４】本発明の第１の実施の形態におけるオペレーションパネルの構成を示すブロック図である。
【図５】本発明の第１の実施の形態におけるメモリの構成を示すブロック図である。
【図６】本発明の第１の実施の形態における読み取り原稿を示す図である。
【図７】本発明の第１の実施の形態における印刷用紙の印刷保証領域を示す図である。
【図８】本発明の第１の実施の形態におけるオペレーションパネルに表示されるメッセージの例を示す第１の図である。
【図９】本発明の第１の実施の形態におけるオペレーションパネルに表示されるメッセージの例を示す第２の図である。
【図１０】本発明の第１の実施の形態におけるオペレーションパネルに表示されるメッセージの例を示す第３の図である。
【図１１】本発明の第１の実施の形態におけるプリンタ名及び印刷保証領域を登録する動作を示すフローチャートである。
【図１２】本発明の第１の実施の形態におけるプリンタに表示されるメッセージの例を示す第４の図である。
【図１３】本発明の第１の実施の形態におけるプリンタに表示されるメッセージの例を示す第５の図である。
【図１４】本発明の第１の実施の形態におけるプリンタに表示されるメッセージの例を示す第６の図である。
【図１５】本発明の第１の実施の形態におけるプリンタに表示されるメッセージの例を示す第７の図である。
【図１６】本発明の第１の実施の形態における電子メールによって印刷データを送信する動作を示すフローチャートである。
【図１７】本発明の第１の実施の形態の変形例におけるＭＦＰの構成を示すブロック図である。
【図１８】本発明の第１の実施の形態の変形例におけるメモリの印刷可能領域情報テーブルの構成を示すブロック図である。
【図１９】本発明の第１の実施の形態の変形例におけるサイズ調整メニュー項目の表示を示す図である。
【図２０】本発明の第１の実施の形態の変形例における原稿をコピーする動作を示すフローチャートである。
【図２１】本発明の第２の実施の形態におけるＭＦＰの構成を示すブロック図である。
【図２２】本発明の第２の実施の形態におけるプリンタの構成を示すブロック図である。
【図２３】本発明の第２の実施の形態における画像印刷システムのシーケンスを示す図である。
【図２４】本発明の第２の実施の形態における画像印刷システムの動作を示すフローチャートである。
【図２５】本発明の第３の実施の形態における電子メール作成部の構成を示すブロック図である。
【図２６】本発明の第３の実施の形態における電子メール作成部で作成される電子メールの内容の例を示す図である。
【図２７】本発明の第３の実施の形態における作成した印刷データを電子メールでメールサーバに送信する動作を示すフローチャートである。
【図２８】本発明の第４の実施の形態におけるＭＦＰの構成を示すブロック図である。
【図２９】本発明の第４の実施の形態におけるプリンタの構成を示すブロック図である。
【図３０】本発明の第４の実施の形態における作成した印刷データを電子メールでメールサーバに送信する動作を示すフローチャートである。
【図３１】本発明の第４の実施の形態におけるＰＤＦファイルを受信したときのプリンタの動作を示すフローチャートである。
【符号の説明】
【０１１６】
１０    ＭＦＰ
１２    オペレーションパネル
１３    メモリ
１４    編集部
５０    プリンタ
【図１】
0004646876.tif 000002
【図２】
0004646876.tif 000003
【図３】
0004646876.tif 000004
【図４】
0004646876.tif 000005
【図５】
0004646876.tif 000006
【図６】
0004646876.tif 000007
【図７】
0004646876.tif 000008
【図８】
0004646876.tif 000009
【図９】
0004646876.tif 000010
【図１０】
0004646876.tif 000011
【図１１】
0004646876.tif 000012
【図１２】
0004646876.tif 000013
【図１３】
0004646876.tif 000014
【図１４】
0004646876.tif 000015
【図１５】
0004646876.tif 000016
【図１６】
0004646876.tif 000017
【図１７】
0004646876.tif 000018
【図１８】
0004646876.tif 000019
【図１９】
0004646876.tif 000020
【図２０】
0004646876.tif 000021
【図２１】
0004646876.tif 000022
【図２２】
0004646876.tif 000023
【図２３】
0004646876.tif 000024
【図２４】
0004646876.tif 000025
【図２５】
0004646876.tif 000026
【図２６】
0004646876.tif 000027
【図２７】
0004646876.tif 000028
【図２８】
0004646876.tif 000029
【図２９】
0004646876.tif 000030
【図３０】
0004646876.tif 000031
【図３１】
0004646876.tif 000032